(57)【要約】      （修正有）【課題】十分な疲労緩和、静脈瘤抑止、外反母趾抑止、並びに、美観と着用感の芳しいソックスを提供する。【解決手段】着用者の少なくとも膨ら脛までの長さを有するソックスにおいて、上部の膨ら脛から足首にかけて段階的に小さくなる力で着圧する略環状の膨ら脛着圧部１１を備えると共に、足裏に指圧刺激を与える凹凸部１８を足裏部１７に備える。上部の膨ら脛部から足首部１３にかけて、幅を段階的に小さくし、また、踵部１５からつま先部１６までの幅を、足首部１３の幅より大きくし、つま先部１６を、緩い膨出状または開口し、足裏部１７に、着圧強度を上げる足裏着圧部を設け、凹凸部１８を、繊維とゴム糸とで縫製して硬い突起を形成してもよい。【選択図】図２
0003192173.tif 000002
【実用新案登録請求の範囲】
【請求項１】
着用者の少なくとも膨ら脛までの長さを有するソックスにおいて、
上部の膨ら脛から足首にかけて段階的に大きくなる力で着圧する略環状の膨ら脛着圧部を備えると共に、
足裏に指圧刺激を与える凹凸部を足裏部に備える
ことを特徴とするソックス。
【請求項２】
上部の膨ら脛部から足首部にかけて、幅が段階的に小さくなる
請求項１に記載のソックス。
【請求項３】
踵部からつま先部までの幅が、足首部の幅より大きい
請求項１または２に記載のソックス。
【請求項４】
つま先部が、緩い膨出状である
請求項１ないし３のいずれかに記載のソックス。
【請求項５】
つま先部が、開口している
請求項１ないし３のいずれかに記載のソックス。
【請求項６】
足裏部が、着圧強度を上げる足裏着圧部を備える
請求項１ないし５のいずれかに記載のソックス。
【請求項７】
凹凸部が、繊維とゴム糸とによる縫製であり、硬い突起を形成する
請求項１ないし６のいずれかに記載のソックス。
【考案の詳細な説明】
【技術分野】
【０００１】
本考案は、着用者の少なくとも膨ら脛までの長さを有するソックスに関する。
【背景技術】
【０００２】
膨ら脛を着圧すると、疲労や静脈瘤や美観の対策に寄与することが知られている。そのような作用を有するソックスとしては、特許文献１〜５が挙げられる。
【０００３】
また、足裏に指圧刺激を与えると、疲労の対策に寄与することが知られている。そのような作用を有するソックスとしては、特許文献６〜９が挙げられる。
【０００４】
しかし、従来のソックスでは、十分な疲労緩和等の効果は得られず、また、着用感は芳しくはなかった。
【先行技術文献】
【特許文献】
【０００５】
【特許文献１】実用新案登録第３１１０１６５号「着圧ソックス」
【特許文献２】実用新案登録第３１６１６９５号「着圧回旋ハイソックス」
【特許文献３】特開２０００−２９０８０６「脚部を有する衣類」
【特許文献４】特開２００２−１３００５「ハイソックス」
【特許文献５】特開２００５−３２５４８６「着圧ハイソックス」
【特許文献６】実用新案登録第３０５８７８３号「靴下」
【特許文献７】実用新案登録第３０６１３３４号「ソックス」
【特許文献８】実用新案登録第３０７９３５５号「靴下」
【特許文献９】特開２００９−１０２７６４「靴下」
【考案の概要】
【考案が解決しようとする課題】
【０００６】
そこで、本考案は、十分な疲労緩和、静脈瘤抑止、外反母趾抑止、並びに、美観と着用感の芳しいソックスを提供することを課題とする。
【課題を解決するための手段】
【０００７】
上記課題を解決するために、本考案は次の構成を備える。
すなわち、本考案のソックスは、着用者の少なくとも膨ら脛までの長さを有するソックスにおいて、上部の膨ら脛から足首にかけて段階的に大きくなる力で着圧する略環状の膨ら脛着圧部を備えると共に、足裏に指圧刺激を与える凹凸部を足裏部に備えることを特徴とする。
【０００８】
ここで、上部の膨ら脛部から足首部にかけて、幅を段階的に小さくして、膨ら脛着圧部の着圧作用に寄与させてもよい。
【０００９】
また、踵部からつま先部までの幅を、足首部の幅より大きいして、着用感の向上に寄与させてもよい。
【００１０】
つま先部を、緩い膨出状にして、着用感の向上に寄与させてもよい。
【００１１】
つま先部を、開口して、着用感の向上に寄与させてもよい。
【００１２】
足裏部に、着圧強度を上げる足裏着圧部を設けて、外反母趾の抑止に寄与させてもよい。
【００１３】
凹凸部を、繊維とゴム糸とで縫製し、硬い突起を形成して、足裏の指圧刺激作用の向上に寄与させてもよい。
【考案の効果】
【００１４】
本考案のソックスによると、有効な疲労緩和、静脈瘤抑止、外反母趾抑止を奏し、更に、美観と着用感も芳しい。
【図面の簡単な説明】
【００１５】
【図１】本考案による実施例のハイソックスの正面図
【図２】同、側面図
【図３】同、底面図
【図４】凹凸部の実施例の一部拡大説明図
【図５】別実施例のハイソックスの正面図
【図６】同、側面図
【図７】着圧強度の測定試験結果を示す表
【考案を実施するための形態】
【００１６】
以下に、本考案の実施形態を説明する。
ここでは、ソックスの例としてハイソックスを挙げて説明するが、大腿部までの長さを有するロングソックスや、臀部までの長さを有するパンティストッキングなど、着用者の少なくとも膨ら脛までの長さを有するソックス一般に、同様に適用可能である。なお、本考案の趣旨から逸脱しない範囲で、適宜設計変更可能であり、前記特許文献や従来公知の技術を援用可能である。
【００１７】
図１〜３は、本考案による実施例のハイソックスの正面図、側面図、底面図である。
着用者の膨ら脛に対応する略環状の膨ら脛着圧部（１１）は、上端（１２）が最も幅広であり、足首部（１３）にかけて幅（周囲長）が段階的に小さくなっている。図示の例では、すね部（１４）が略一定の幅であるが、上端（１２）から足首部（１３）にかけてテーパー状に幅を小さくしてもよいし、多段階で幅を小さく形成してもよい。
【００１８】
膨ら脛着圧部（１１）の着圧強度は、上端（１２）より足首部（１３）の方が大きくなっている（例：
上端（１２）＝１５〜２０ｈＰａ、足首部（１３）＝２５〜３０ｈＰａ）。図示の例では、すね部（１４）が略一定の着圧強度であるが、上端（１２）から足首部（１３）にかけて連続的に着圧強度を大きくしてもよいし、不連続的に変えてもよい。
【００１９】
着圧強度は、ベースとなる糸に編み込む弾力糸の量を変えることによって調整する方法が、簡便である。弾力糸としては、細く伸縮性に富むゴム糸などが使用できる。なお、着圧の縫製に柄編みを組み合わせて形成してもよい。
着圧により、すっきりとした着用感、疲労緩和や静脈瘤抑止等の健康増進効果、また、スリムに見せる美観が得られる。
【００２０】
踵部（１５）からつま先部（１６）までの幅は、足首部（１３）の幅より大きく、着用感の向上が図られている。図示の例では、踵部（１５）が膨出状であるが、平坦に形成してもよい。
【００２１】
足裏部（１７）には、着用者の足裏に指圧マッサージと同様の指圧刺激を与える凹凸部（１８）が備わる。
指圧刺激作用のためには、凹凸部（１８）は硬い突起を有することが好ましく、それは繊維とゴム糸との縫製により形成可能である。なお、ゴム糸の混入は、着圧の作用も有する。
【００２２】
図４は、その縫製形態の一例であり、図４（ａ）は複数の突起の配置を示し、図４（ｂ）は突起のの一部拡大図である。
凹凸部（１８）の縫製は、シングル編み機により、編み針の耐え得る範囲で突起を高く成形できる（例：編み機；イタリア、ロナティ、針３−３／４インチ、２４０本、表糸；東レ、キュープ５０／１ｘ２、裏糸；マエダ繊維工業、２６０４０１３Ｆ−５、２０ｘ７０ＦＴＹ）。
【００２３】
また、足裏部（１７）に、着圧強度を上げる足裏着圧部（１９）を設けて、外反母趾の抑止に寄与させてもよい。
【００２４】
他方で、つま先は、締め付けが強いと着用感が芳しくないので、つま先部（１６）を、緩い膨出状にしてもよい。
【００２５】
図５及び６は、別実施例のハイソックスの正面図及び側面図である。
つま先部（１６）に開口部（２０）が設けられ、締め付けの開放と共に、湿気の放散に寄与している。図示の例では、上部のつま先部（１６）が全面的に開口しているが、格子窓状などにして部分的な開口にしてもよい。
【００２６】
上記のソックスについて、着圧強度を測定する試験を行った。サーマルマネキン（七彩、ＭＳＸ−２０Ｍ・ＭＰＳ３−２０）に衣服圧センサー（エイエムアイ、ＡＭＩ３０３７−２）をセットし、ソックスの着用時における被服圧を測定した。縫製糸は、ナイロン８５．４％、ポリウレタン１４．６％の混用率であった。
図７は、その測定試験結果を示す表であり、図７（ａ）に測定部位を示し、図７（ｂ）に着圧強度（ｈＰａ）を示す。紳士用婦人用共に所望の着圧強度が得られた。
【産業上の利用可能性】
【００２７】
以上のように、本考案によると、日常的に装着して用いるのみで、有効な疲労緩和、静脈瘤や外反母趾が抑止されて、健康増進に寄与し、並びに、美観と着用感の芳しいため、産業上非常に有用である。
【符号の説明】
【００２８】
１１  膨ら脛着圧部
１２  上端
１３  足首部
１４  すね部
１５  踵部
１６  つま先部
１７  足裏部
１８  凹凸部
１９  足裏着圧部
２０  開口部
【図１】
0003192173.tif 000003
【図２】
0003192173.tif 000004
【図３】
0003192173.tif 000005
【図４】
0003192173.tif 000006
【図５】
0003192173.tif 000007
【図６】
0003192173.tif 000008
【図７】
0003192173.tif 000009